(57)【要約】  ケーブル（１６）の揺れを減衰させるための装置（２２）は、ピボット（２６）周りで振動するアーム（２５）と、アームの振動を減衰させるための第１のダンパー（３０）と、ケーブルに取り付けられた連結器（２７）と、連結器に接続された上端部とアームに接続された下端部とを有する第２の直線移動ダンパー（３１）と、第２のダンパーの移動に対して平行にアームに対して連結器をスライドさせるためのガイド（２８）であって、第２のダンパーの移動に対して横断方向のケーブルの運動が、第２のダンパーとは独立してアームに伝達される、ガイドと、を備えている。
2016534257.tif 000002
【特許請求の範囲】
【請求項１】
ケーブルの揺れを減衰させるための装置であって、
前記装置（２２）が、
−  ピボット（２６）周りで振動するアーム（２５）と、
−  前記アームの振動を少なくともいくらか減衰させるための第１のダンパー（３０）と、
−  前記ケーブル（１６）に取り付けられた連結器（２７）と、
−  直線ストロークと、前記連結器に接続された上端部と、前記アームに接続された下端部と、を有する第２のダンパー（３１）と、
−  前記第２のダンパーのストロークと平行に前記アームに対して前記連結器をスライドさせるためのガイド（２８，６０）であって、前記第２のダンパーのストロークに対して横断方向の前記ケーブルの運動が、前記第２のダンパーとは独立して前記アームに伝達される、ガイドと、
を備えていることを特徴とする減衰装置。
【請求項２】
前記第１のダンパーが、前記アーム（２５）に対して横断方向に配置された少なくとも１つのピストン（３０）を備えていることを特徴とする請求項１に記載の減衰装置。
【請求項３】
前記ピストン（３０）が、前記ピボット（２６）の下方で前記アーム（２５）に接続されていることを特徴とする請求項２に記載の減衰装置。
【請求項４】
前記ピストン（３０）が、前記ケーブル（１６）により懸架された構造物（１４）の上面の下に配置されていることを特徴とする請求項２又は３に記載の減衰装置。
【請求項５】
前記ピボット（２６）が、前記ピボットと前記連結器（２７）における前記ケーブル（１６）への取付ポイント（Ｐ）との間の距離（Ｄ）が、前記アーム上で前記ピストン（３０）によってかけられる力の前記ピボットに対するレバーアームよりも大きいように、好ましくは前記レバーアームよりも少なくとも３倍大きいように、前記アーム（２５）に対して位置決めされていることを特徴とする請求項４に記載の減衰装置。
【請求項６】
前記ピボット（２６）が、前記ケーブル（１６）により懸架された構造物（１４）の厚さ内に配置されていることを特徴とする請求項１から５のいずれか一項に記載の減衰装置。
【請求項７】
前記ピボット（２６）が、ボールジョイント又は関節ジンバルタイプを提供することを特徴とする請求項１から６のいずれか一項に記載の減衰装置。
【請求項８】
前記ピボット（２６）が、実質的に前記ケーブル（１６）により懸架された構造物（１４）に対して固定されていることを特徴とする請求項１から７のいずれか一項に記載の減衰装置。
【請求項９】
前記アーム（２５）と前記ガイド（２８）との間のスライドシュー（４５）を備えていることを特徴とする請求項１から８のいずれか一項に記載の減衰装置。
【請求項１０】
前記ガイド（２８）が、前記第２のダンパー（３１）の下端部の下に位置した少なくとも１つのスライド接触部（４５）によって前記アーム（２５）に対して前記連結器（２７）をスライドさせることを特徴とする請求項１から９のいずれか一項に記載の減衰装置。
【請求項１１】
前記ガイド（６０）が、前記第２のダンパー（３１）の上に位置した少なくとも１つのスライド接触部（６１）によって前記アーム（２５）に対して前記連結器（２７）をスライドさせることを特徴とする請求項１から９のいずれか一項に記載の減衰装置。
【請求項１２】
前記アーム（２５）が、中空であり、前記第２の直線ストロークダンパー（３１）が、前記連結器（２７）と前記アームに対して固定されたポイント（Ｐ）との間に接続されるとともに前記アーム内に収納されていることを特徴とする請求項１１に記載の減衰装置。
【請求項１３】
前記第１のダンパー（３０）が、力減少機構（８０，８１）を介して前記アーム（２５）に接続されていることを特徴とする請求項１から１２のいずれか一項に記載の減衰装置。
【請求項１４】
少なくとも１つのタワー（２０）と、デッキ（１４）と、前記デッキを懸架するために前記タワーと前記デッキとの間で斜めに延在するケーブルからなるステー（１６）と、ケーブルと前記デッキとの間に取り付けられた、請求項１から１３のいずれか一項に記載の減衰装置（２２）を少なくとも１つと、を備えることを特徴とする斜張橋。
【発明の詳細な説明】
【技術分野】
【０００１】
本発明は、構造物を懸架するために使用されるケーブルがさらされる揺れを減衰させるための技術に関する。
【背景技術】
【０００２】
本発明は、特に斜張懸架装置に適用される。ステーは、特に風及び車両の通行に起因して揺れる。さまざまなタイプの装置が、これら揺れを減衰させるために提案されてきた。
【０００３】
第１のタイプの減衰装置（例えば特許文献１、２又は３参照）では、揺れに関するエネルギーは、懸架型構造物に固定された要素によって径方向に画定された区間においてケーブル周りで消散される。この要素は、ケーブルと懸架型構造物との間で延在するアーム、又はケーブルの底部を受けるチューブである。減衰される揺れの振幅は、このタイプの装置で制限される。
【０００４】
他の装置は、直線ストロークダンパー、例えば液圧式ピストンを使用する。これらピストンは、ケーブルと懸架構造物との間（例えば特許文献４参照）又はケーブルと懸架型構造物に固定されたチューブとの間で延在するアームであって、ケーブルの底部を収容する（例えば特許文献５又は６参照）、アーム上に配置されている。
【０００５】
いわゆる振り子減衰装置が、ケーブルに接続された振動アームを備え、ケーブルの振動は、粘性摩擦によって減衰させられる。特許文献７が、このような振り子装置の一例を開示している。
【０００６】
図１に示す振り子減衰装置の一実施形態では、アーム１０は、支持体１２上に取り付けられたピボット１１周りで振動し、支持体１２自体は、橋のデッキ１４に固定されたシャーシ１３上で回動する。Ｘ字で配置された２つの液圧式ピストン１５が、アーム１０の底部とシャーシ１３又はデッキ１４との間に取り付けられている。アーム１０の頂部において連結器１７内で保持されたステー１６の鉛直運動は、アーム１０が上下に動くときにピストン１５によって減衰させられ、ピボット１１の鉛直運動は、支持体１２の傾斜によって受けられる。ステー１６の水平運動は、アーム１０をピボット１１周りに振動させ、且つ交差型ピストン１５によって個々に減衰させられる。
【０００７】
振り子装置は、ケーブル上、特に長いケーブル上の強い減衰を提供する。振り子装置は、概して、底部アンカー固定地からケーブルの全長の約２％−３％でケーブルの底部に設置されている。この装置の構成は、およそ概して±１００ｍｍから約±１５０ｍｍまでの長いストロークにわたってケーブルの鉛直及び横断運動双方を減衰させることを可能にする。
【０００８】
しかしながら、特に構造物が可撓性を有する場合に、ケーブルの偏差は、さらにより大きくなることがある。必要なストロークは、さらにより大きくなり、例えば±７００ｍｍにまで及ぶ。
【０００９】
従って、振り子装置のコンセプトは、その限界を有する：ピストンが非常に長いストロークを有するので、図１に示すように装置は過度に大きくなる。減衰ピストンが、概して、そのストロークの３倍の長さを有しており、このため、２メートルよりも長いピストンが必要である。このような大きな振り子装置を橋上に位置決めすることは、ほぼ不可能となる。
【先行技術文献】
【特許文献】
【００１０】
【特許文献１】欧州特許出願公開第０３４３０５４号明細書
【特許文献２】独国登録実用新案第２９５１７２５０号明細書
【特許文献３】国際公開第９８／０４７８０号パンフレット
【特許文献４】特開平０９−５９９２１号公報
【特許文献５】仏国特許出願公開第２８５９２６０号明細書
【特許文献６】特開平０６−５８３７０号公報
【特許文献７】仏国特許出願公開第２６６４９２０号明細書
【発明の概要】
【発明が解決しようとする課題】
【００１１】
本発明の目的は、特に減衰させられる揺れの振幅が大きいときの、振り子装置を改良することと、振り子装置の構造物への挿入を容易にすることと、である。
【課題を解決するための手段】
【００１２】
ケーブル、特に橋のステーの揺れを減衰させるための装置であって、
装置が、
−  ピボット周りで振動するアームと、
−  アームの振動を少なくともいくらか減衰させるための第１のダンパーと、
−  ケーブルに取り付けられた連結器と、
−  直線ストロークと、連結器に接続された上端部と、アームに接続された下端部と、を有する第２のダンパーと、
−  第２のダンパーのストロークと平行にアームに対して連結器をスライドさせるためのガイドであって、第２のダンパーのストロークに対して横断方向のケーブルの運動が、第２のダンパーとは独立してアームに伝達される、ガイドと、
を備えていることを特徴とする減衰装置が提案される。
【００１３】
ガイドは、アームに対して垂直なケーブルの運動であって、第１のダンパーによって減衰させられる、運動と、アームに対して平行な運動であって、第２のダンパーによって減衰させられる、運動と、の間の切り離しをもたらすある種のスライドを形成する。第２のダンパーは、装置の全体的なサイズ及び装置の審美的な外観にあまり重大に影響を及ぼすことなく比較的長いストロークを有する。ガイドは、第２のダンパーが、その機能に有害な曲げモーメントにさらされることを防止する。
【００１４】
装置の一実施形態では、第１のダンパーが、アームに対して横断方向に配置され且つピボットの下方でアームに接続された少なくとも１つのピストンを備えている。ピストンは、特にピボットが、ピボットとケーブル上での連結器の取付ポイントとの間の距離がアーム上でピストンによってかけられる力のピボットに対するレバーアームよりも大きいようにアームに対して位置決めされるケースでは、ケーブルにより懸架された構造物の上面の下に配置されてもよい。揺れるケーブルと、第１のダンパーのピストンによって妨害される抵抗と、によって付与される横断力の間のピボットに対するレバーアームの差は、このピストンが減少したストロークを有することを可能にする。従って、装置は、制限されたサイズからなることができ、且つ懸架型構造物内に設けられたキャビティ内に収納することができる。有利には、梃子の作用は、アーム上でピストンによってかけられる力のピボットに対するレバーアームよりも少なくとも三倍大きくピボットと連結器の取付ポイントとの間の距離をもたらすことによって増大される。
【００１５】
ピボットが、ケーブルにより懸架された構造物の厚さ内に配置された場合、ピボットは、この構造物上で移動する人には見ることができない。有利には、ピボットは、ボールジョイント又は関節ジンバルタイプを提供し、このことは、装置が、例えばその熱膨張に起因する、ケーブルの軸に対して平行な連結器の運動を受けることを可能にする。ピボットは、実質的にケーブルにより懸架された構造物に対して固定されて設けられてもよい。
【００１６】
本発明の別の側面は、少なくとも１つのタワーと、デッキと、デッキを懸架するためにタワーとデッキとの間で斜めに延在するケーブルからなるステーと、デッキ上の少なくとも１つのケーブルの間に取り付けられた、上で規定した減衰装置と、を備えることを特徴とする斜張橋に関する。
【００１７】
本発明の他の特徴及び利点は、添付の図面を参照する、非限定的な例の実施形態の以下の説明から明らかになるであろう。
【図面の簡単な説明】
【００１８】
【図１】すでに公知の振り子減衰装置の図である。
【図２】斜張橋の概略的な側面図である。
【図３】本発明による減衰装置の一例の運動学を示す図である。
【図４】本発明の一実施形態による減衰装置を備えたステーケーブルの下部の側面図である。
【図５】図４に示す平面Ｖ−Ｖに沿った、図４の減衰装置の断面図である。
【図６】減衰装置の考えられる変形例を示す図である。
【図７】減衰装置の考えられる変形例を示す図である。
【図８】減衰装置の考えられる変形例を示す図である。
【発明を実施するための形態】
【００１９】
以下では、本発明を、斜張橋へ非限定的に適用して説明する。そして、その揺れが減衰させられるケーブルは、デッキ１４を懸架するために橋のタワー２０と橋のデッキ１４との間で延在するステー１６である。
【００２０】
ステー１６の１つ以上が、アームを備えた減衰装置２２を備えており、アームは、ステー１６の下方アンカー固定地に近く（例えばステーの全長の数％に）位置した取付ポイントＰと、デッキ１４と、の間でステー１６に対して横断方向に延在する。通常、減衰装置２２のアームは、それが接続されるステー１６と略同じ鉛直平面に位置している。しかしながら、アームは、この平面から若干ずれていることが可能である。
【００２１】
図３は、減衰装置２２、例えば図２に示した減衰装置の運動学を概略的に示している。装置２２のアーム２５は、符号Ｘで示される方向に向けられており、且つ例えばボールジョイントタイプのピボット２６により橋のデッキ上に関節式結合されている。アーム２５は、ピボット２６周りで振動し、その振動運動（図３における矢印Ｆ）は、第１のダンパー３０により減衰させられる。
【００２２】
図３に示す例では、第１のダンパー３０は、デッキ１４上の固定ポイントで接続された第１の端部と、アーム２５の下端部に近接してアーム２５に接続された第２の端部と、を有する液圧式ピストンである。第１のダンパー３０は、アーム２５に対して略垂直に延在している。第１の振動器３０に対して他の配置が考えられる：複数の液圧式ピストンが設けられるか、もしくは液圧式ピストン（又はそれらの中の１つ）がピボット２６の上に位置するか、又は減衰効果が、（特許文献７で説明されるものと類似する方式で）アーム２５の下端部が挿入される粘性媒体をかき混ぜることによって得られる、などである。第１のダンパー３０が、直線タイプからなる場合、第１のダンパー３０におけるアーム２５への接続及びデッキ１４上の固定ポイントへの接続が、関節接続、例えばボールジョイントタイプの関節接続であることが好ましい。従って、直線ダンパー３０は、方向Ｘがステー１６の横断方向又は軸方向運動に起因してピボット２６周りで振動するときに、望ましくない曲げモーメントにさらされない。直線ダンパー３０の配置は、必ずしも水平ではない。さらに、アーム２５上での第１のダンパー３０の関節式結合ポイントＱが、アーム２５から側方に突出するアーム２５の延在部上にあってもよい。
【００２３】
アーム２５と、取付ポイントＰでステー１６に取り付けられた連結器２７と、の間では、スライダガイド２８が、連結器２７がアーム２５と一直線なままであることを保証するために取り付けられている。第２の直線ストロークダンパー３１、例えば液圧式ピストンが、連結器２７とアーム２５との間に取り付けられている。このダンパー３１は、アーム２５に対して平行なケーブル１６の取付ポイントＰの運動を減衰させる。
【００２４】
図２に示す形態では、減衰装置２２のアームは、それぞれのステー１６に対して垂直に向けられ、ステー１６の運動は減衰する。これは、減衰装置の効率を最大化させる。とはいうものの、例えばアーム２５を鉛直に（従ってそれらアームのそれぞれのステーに対して直角以外の角度で）配置することによって他の配置が可能である。ステー１６の揺れを減衰させるために、装置２２は、ステー１６を含む鉛直平面の両側で２つのアームを有してもよい。
【００２５】
ガイド２８は、アーム２５と垂直なステー１６の運動から生じる望ましくない曲げ力がピストン３１へ伝達することを防止する。ガイド２８は、ダンパー３１によって提供される、アームに対して平行な運動の減衰と、ダンパー３０によって提供される、アームに対して垂直な運動の減衰と、の間での切り離しを提供する。そして、２つのダンパー３０，３１は、求められる減衰効果を得るために独立して設計されて最適化される。
【００２６】
図４及び図５は、斜張懸架装置によって保持された橋のデッキ１４と、ステー１６の１つがこのデッキ１４にアンカー固定される区間と、を示している。各ステーは、概して金属撚り線の束、選択的に被覆ワックス処理又は被覆グリース処理されたタイプの金属撚り線の束からなるケーブルである。アンカー固定装置３５は、例えばデッキ１４の下面に取り付けられ、この下面で、アンカー固定装置３５は、ステー１６の軌道に対して垂直な表面３６に当接している。ステー１６は、ステー１６の下部を保護するガイドチューブ３７内でデッキ１４から出てくる。
【００２７】
減衰装置２２の取付ポイントＰは、ガイドチューブ３７を越えて位置している。このポイントＰでは、カラー４０が、ステー１６を連結器２７に固定するために、ステー１６を構成する撚り線の束周りでクランプされている。
【００２８】
図４及び図５の例示的な実施形態では、スライダガイド２８は、ピストン３１が収納された中空金属外形の形態である。この例では、ネジ山付きロッド４１及びナット４２が、ピストン３１と、連結器２７上のガイド２８と、の上端部を固定している。この固定は、例えばボールジョイントによる関節式結合である。例えばネジ又はピンタイプの別の接続部４３が、ピストン３１の下端部をアーム２５の上端部に接続している。この他の接続部は、上方での固定と同一の方式で関節式結合されてもよい。
【００２９】
減衰装置のアーム２５は、その下端部でガイド２８から出てくる。ガイド２８は、アーム２５に対して、ピストン３１によって減衰させられる入れ子式運動を有しており、且つピストン３１に曲げモーメントを伝達しない。シュー又は滑り軸受４５が、アーム２５と、ガイド２８の内面と、の間に配置されており、これにより、減衰装置２２の機能を妨げないように、入れ子式運動をガイドし、且つこれら２つのパーツの間での摩擦係数を最小化させる。アーム２５又はガイド２８に固定されたこれらシュー又は軸受４５は、例えばポリテトラフルオロエチレン（ＰＴＦＥ）又は超高分子量ポリエチレン（ＵＨＭＷＰＥ）から製造される。
【００３０】
第２のダンパー３１及びスライダガイド２８は、極めて異なる配置を有してもよいことに留意されたい。
【００３１】
例えば、図４及び図５のようにガイド２８によって取り囲まれた中央位置において液圧式ピストン３１を有するのではなく、アーム２５に対する入れ子式運動は、非中央位置において１つ以上の平行ピストンを備える第２の直線ストロークダンパー３１を有する中央ガイドによってガイドされ、ピストンが連結器２７及びアーム２５にそれぞれ固定されたブラケットに接続されてもよい。
【００３２】
図４及び図５のケースでは、ガイド２８がアーム２５に対して連結器２７をスライドさせることを可能にするスライド接触部（シュー４５）が、直線ダンパー３１の下端部の下に位置している。あるいは、このスライド接触部が直線ダンパー３１の上に位置していることが可能である。例えば、連結器２７は、レールに沿ってスライドするように取り付けられており、これらレールは、軸Ｘに対して平行であり、且つピボット２６周りで振動するアーム２５に剛結合されていてもよい。
【００３３】
このような一実施形態は、図６で概略的に示してある。この例では、アーム２５は、減衰ピストン３１が収納された中空外形の形態である。減衰ピストン３１は、ステー１６に固定された連結器２７と、アーム２５に対して固定され且つアームの下部に近く位置したポイント６２と、の間で、好ましくは関節式結合方式で接続されている。アーム２５は、ステー１６及びカラー２７を取り囲むフレーム６０によってアームの上端部で延在させられている。本実施形態では、このフレーム６０は、ガイドの役割を果たす。フレーム６０の側面は、内側に向けられた２つのスライド面６１を有し、２つのスライド面６１は、アーム２５に対して連結器２７をスライドさせるときに連結器２７をガイドするために連結器２７と協働する。スライド面６１は、アーム２５の方向Ｘに対して平行な２つのレールを形成し、且つ低摩擦係数を有する材料で覆われており、これにより、連結器２７のスライドを容易にする。このような一実施形態は、比較的長いストロークのピストン３１を使用することを可能にする。
【００３４】
図６で示す例では、アーム２５は、ピボット２６の下に、傾斜延在部６３を有しており、傾斜延在部６３の端部は、ポイントＱで第１の減衰ピストン３０に関節式結合方式で接続されている。このような傾斜延在部は、デッキ１４の縁部周りの多くの制約に応じて、ダンパー３０を位置決めするためにさまざまな見込まれる構成を可能にする。
【００３５】
図４及び図５に示す実施形態は、アーム２５がガイド２８内に入り込むまで振動アーム２５がデッキ１４の上面から出てくるだけなので、審美性の観点から有利である。ピボット２６は、第１のダンパー３０のピストンのようにデッキ１４の厚さ内に位置し、第１のダンパー３０は、デッキ１４の下面に配置されている。振動アーム２５の下部は、デッキ１４の底面に設けられた適切な形態のキャビティ４８内で動くことができる。同様の利点が、図６に示すタイプの実施形態で得られる。
【００３６】
ピボット２６は、第１のダンパー３０の動作に対する梃子の効果を得るために、アーム２５に沿って位置決めされ、このことは、第１のダンパー３０がコンパクトな形態を有することを可能にする。このために、ピボットと連結器２７の取付ポイントＰとの間の距離Ｄは、ピストン３０のレバーアームよりも大きく、このレバーアームは、図５で概略的に示す特別な形態では、ピボットと、ピストン３０におけるアーム２５への接続ポイントＱと、の間の距離ｄに等しい（又は、図６で概略的に示す特別な形態では傾斜延在部６３の長さにおよそ等しい）。上で符合Ｄで示される距離は、当然ながら、ピストン３１の延長に従って変更可能である。Ｄ≧ｄであることが示されると、Ｄは、ピストンがその最小長さＤを有する場合であってもｄよりも常に大きいことが理解されなければならない。梃子の効果を増大させるために、アーム２５は、好ましくはＤ≧３ｄであることが保証されるように構成される。
【００３７】
ピボット２６がボールジョイントタイプからなるという事実は、装置２２が、ステー１６及びアーム２５を含む平面においてアーム２５に対して垂直な方向へのステーの取付ポイントＰの運動を受けることを可能にする。これら運動は、アーム２５が厳密に垂直でない場合にはステーの揺れに起因するか、又は熱膨張によるステーの伸長に起因する。
【００３８】
代替的な実施形態では、ピボット２６は、デッキ１４とアーム２５との間の関節のジンバルタイプ、すなわち２つの相互に垂直な関節軸を有するジンバルタイプにより実施される。このような変形例は、図７で極めて概略的に示してある。２つの軸の一方が、デッキ１４に対して固定されることによって適切に且つステー１６を含む鉛直平面に対して基本的に平行にピボット２６を提供し、このため、それが許可するアーム２５の揺れは、それが揺れを減衰させるように第１のピストン３０に伝達される。ジンバル関節の第２の軸７１は、アーム２５に対して固定されており、且つステー１６を含む鉛直平面に対して基本的に垂直であり、このため、それが許可するアーム２５の揺れは、第１のピストン３０に伝達されることなく吸収される。そして、アーム２５は、下部７０を有しており、下部７０は、軸７１周りで関節式結合され、且つそれ自体が垂直軸２６周りでデッキ１４に対して関節式結合されている。第１のダンパー３０の接続ポイントＱは、アーム２５の底部７０の下部に位置している。
【００３９】
第１のダンパー３０の別の考えられる配置は、図８に概略的に示してある。この例では、第１のダンパー３０は、２つのリンク８０，８１によりピボット２６の下で、デッキ１４内でアーム２５に接続されている。リンク８０は、アーム２５の底部で関節式結合された一端部と、リンク８１の第１の端部で関節式結合された別の端部と、を有している。リンク８１の第２の端部は、第１のダンパー３０との関節式接続部を有している。さらに、リンク８１は、その第１の端部と第２の端部との間の中間の位置においてデッキ１４上での固定ポイントに対してさらなる関節を有している。図８に示す例では、リンク８０は、アーム２５が静止している場合にはアーム２５に対して垂直に延在している一方で、リンク８１は、アームに対して略平行に延在している。リンク８０，８１は、必要なときに減衰力を下げるための機構を形成する。極めて多様な形態が、一方ではアームの動的な力にさらされるステー１６によって、他方では減衰ピストン３０によってアーム２５上で横断方向にかけられる力の相対的なレバーアームに作用するために提案されることに留意されたい。
【００４０】
上で説明及び言及した実施形態は、本発明の実例である。さまざまな修正が、添付の特許請求の範囲から明らかになる本発明の範囲から逸脱することなく本発明の実例になされてもよい。
【符号の説明】
【００４１】
１４  構造物、１６  ケーブル、２０  タワー、２２  装置、２５  アーム、２６  ピボット、２７  連結器、２８，６０  ガイド、３０  第１のダンパー、３１  第２のダンパー、４５  スライドシュー，スライド接触部、６１  スライド接触部、８０，８１  力減少機構、Ｄ  距離、Ｐ  取付ポイント
【図１】
2016534257.tif 000003
【図２】
2016534257.tif 000004
【図３】
2016534257.tif 000005
【図４】
2016534257.tif 000006
【図５】
2016534257.tif 000007
【図６】
2016534257.tif 000008
【図７】
2016534257.tif 000009
【図８】
2016534257.tif 000010
【国際調査報告】
2016534257.tif 000011
2016534257.tif 000012
2016534257.tif 000013
2016534257.tif 000014